(57)【特許請求の範囲】
【請求項１】
センサ及び負荷が着脱自在のコネクタを介して接続される制御部に対して電源となる乾電池が収納される電池ケースにおいて、電池ケースの筐体に上記制御部とセンサ及び負荷が各々装着されるコネクタを電池ケースの筐体に一体に形成し、これらコネクタに制御部とセンサ及び負荷とを各々装着することにより上記センサ及び負荷と電池ケース内の乾電池とを制御部に接続することを特徴とする電池ケース。
【請求項２】
上記制御部は電池ケースの筐体に対して着脱自在であることを特徴とする請求項１記載の電池ケース。
【発明の詳細な説明】
【技術分野】
【０００１】
本発明は、例えばテーブルコンロのように乾電池を電源として制御部や各種負荷を作動させる器具に取り付けられるものであって、この乾電池を収納する電池ケースに関する。
【背景技術】
【０００２】
従来のこのような電池ケースとしては、電池ケースの筐体に外部から接続可能な１対の端子を突設させ、その端子にハーネスの先端のコネクタを係合させている。すると、このハーネスを介して乾電池からの電力は制御部に供給される。（例えば、特許文献１参照）。
【特許文献１】特開平１１−２３３０８３号公報
【発明の開示】
【発明が解決しようとする課題】
【０００３】
上記従来の電池ケースでは、ハーネスを介して電力を制御部に供給しているが、制御部では各種センサからの検知信号や、電磁式の安全弁などの各種負荷への駆動信号の出力は各々ハーネスを介して行われる。例えばセンサであればセンサに取り付けられたハーネスの先端にコネクタが取り付けられており、他方、制御部に接続されたハーネスの先端のコネクタと、センサ側のコネクタとを相互に接続させることにより、センサからの検知信号が両ハーネスを介して制御部に入力されることになる。
【０００４】
図３を参照して、乾電池Ｂの両端に接触している端子ＴにハーネスＨ１の先端のコネクタＣを差し込む。このハーネスＨ１は制御部である制御基板１のソケット１１に接続されている。この制御基板１にはセンサであるサーミスタ式の鍋底センサ１０１や熱電対が内蔵された炎検知センサ１０２のほか、負荷である電磁式の安全弁１０３が接続されている。これらは制御基板１のソケット１１に対してハーネスＨ２及びハーネスＨ１を介して接続されている。なおハーネスＨ１，Ｈ２は双方の先端に設けられたコネクタＣを介して着脱自在に接続されている。
【０００５】
このような構成であるので、乾電池Ｂを電源とする例えばテーブルコンロ内では多くのハーネスＨ１，Ｈ２が露出し、テーブルコンロ内で配線が雑然とするばかりか、バーナ部等の高温部分にハーネスが触れると被覆が溶融するおそれが生じる。そのため、テーブルコンロ内ではコネクタをターミナルに接続したり相互に連結し配線作業が終了したあとに各ハーネスＨ１，Ｈ２を結束しなければならない。また、ハーネスを多用するとハーネスのコストが器具全体のコストに影響し、コストダウンをはかれないという不具合も生じる。
【０００６】
そこで本発明は、上記の問題点に鑑み、ハーネスの結束工数を大幅に低減することができ、かつ、ハーネスの使用量を低減することのできる電池ケースを提供することを課題とする。
【課題を解決するための手段】
【０００７】
上記課題を解決するために本発明による電池ケースは、センサ及び負荷が着脱自在のコネクタを介して接続される制御部に対して電源となる乾電池が収納される電池ケースにおいて、電池ケースの筐体に上記制御部とセンサ及び負荷が各々装着されるコネクタを電池ケースの筐体に一体に形成し、これらコネクタに制御部とセンサ及び負荷とを各々装着することにより上記センサ及び負荷と電池ケース内の乾電池とを制御部に接続することを特徴とする。
【０００８】
電池ケースの筐体に制御部を装着すれば、電源供給用のハーネスを用いることなく直接制御部に乾電池からの電力を供給することができる。また、各種センサや負荷は筐体に一体に形成したコネクタに接続すれば、このコネクタと制御部とを予め電池ケース内で配線しておくことができ、従来のもののようにハーネスを結束するという作業を行う必要が無くなる。
【０００９】
また、上記制御部は電池ケースの筐体に対して着脱自在とすれば、制御部の仕様変更等に対応することができるので、電池ケースを汎用的に使用することができる。
【発明の効果】
【００１０】
本発明は、制御部に電力を供給するハーネスや制御部と各種センサ、あるいは各種負荷との接続のためのハーネスの一部を用いなくてもよくなるので、ハーネスの先端のコネクタを接続したあとにハーネスを結束する作業をなくすことができ、あるいは大幅に減少させることができる。
【発明を実施するための最良の形態】
【００１１】
図１及び図２を参照して、２は本発明に係る電池ケースの筐体である。この筐体２には前方から電池ホルダ３が出し入れされるように形成されている。電池ホルダ３の手前側にはプラス側の端子３１が固定されており、電池ホルダ３を筐体２内に差し込むと、この端子３１が筐体に固定された導板２ｂに接触するように構成されている。
【００１２】
この導板２ｂは導電性の金属材料で形成されており、端子３１に接触するとプラス電位は端子３１から導板２ｂを介して筐体２の後部へ導かれる。筐体２の後部上面にはコネクタ２１が取り付けられており、この導板２ｂはコネクタ２１の所定のピンに接続されている。
【００１３】
一方、筐体２の内部後端位置には、電池ホルダ３を筐体２内に差し込んだ状態で、電池ホルダ３に保持されている乾電池Ｂのマイナス側に接触する端子に接続された導板２ａが取り付けられている。この導板２ａも先の導板２ｂと同じくコネクタ２１まで延設されており、導板２ｂが接続されているピンとは異なるピンに接続されている。
【００１４】
４は制御部である制御基板であり、この制御基板４にはコネクタ４１が直接取り付けられている。そして、このコネクタ４１は筐体２に取り付けられたコネクタ２１に差し込むことができるように構成されている。したがって、コネクタ４１をコネクタ２１に差し込むと、制御基板４は筐体２に保持されると共に上記導板２ａ，２ｂを介して乾電池Ｂからの電力が供給される。
【００１５】
このコネクタ２１には電力供給用のピンのほかに、信号の入出力用のピンが複数本設けられている。また、筐体２の外部側面には複数個（本形態では３個）のコネクタ５ａ，５ｂ，５ｃが筐体２に一体に形成されている。これらコネクタ５ａ，５ｂ，５ｃにはコネクタ２１の入出力用のピンが各々接続されている。
【００１６】
したがって、先に図３で示した鍋底センサ１０１，炎検知センサ１０２，安全弁１０３に接続されているハーネスのコネクタを順次これらコネクタ５ａ，５ｂ，５ｃに差し込めば、鍋底センサ１０１，炎検知センサ１０２，安全弁１０３は各々制御基板４に接続されることになる。
【００１７】
なお、制御基板４はコネクタ２１に対して着脱自在であるため、制御基板４の仕様が変更されたり、あるいは他の制御基板４を使用したい場合には、筐体２はそのままで制御基板４を容易に交換することができる。
【産業上の利用可能性】
【００１８】
上記説明ではテーブルコンロの電池ケースに本発明を適用した場合について説明したが、乾電池を電源とし、かつ制御部を内蔵している器具であれば、どのような器具であっても特に本発明を適用することについて問題はない。
【図面の簡単な説明】
【００１９】
【図１】本発明の最良の形態の構成を示す図
【図２】図１の断面図
【図３】従来の構成を示す図
【符号の説明】
【００２０】
１ 制御基板
２ 筐体
２ａ 導板
２ｂ 導板
３ 電池ホルダ
４ 制御基板
５ａ，５ｂ，５ｃ コネクタ
１０１ 鍋底センサ
１０２ 炎検知センサ
１０３ 安全弁
Ｂ 乾電池
Ｈ１ ハーネス
Ｈ２ ハーネス
【図１】
0004099441.tif 000002
【図２】
0004099441.tif 000003
【図３】
0004099441.tif 000004